(57)【要約】【課題】建物の出隅部に生じる浮き上がりを抑制することができる住宅の土台構造を提供する。【解決手段】桁側縦壁部１８と妻側縦壁部１９のそれぞれの上面部に、埋込ボルト１３、１４を突出させ、埋込ボルト１３、１４の通し穴を設けた土台部材２２〜２５を桁側縦壁部１８と妻側縦壁部１９に装着する。  これらの土台部材２４、２５の上面部を略三角形状の出隅用座金１０で固定する。出隅用座金１０は、桁側縦壁部１８の埋込ボルト１３から妻側縦壁部１９の埋込ボルト１４まで至る大きさを有した一体型形状で構成されている。  そして、出隅用座金１０のボルト孔１５、１６に埋込ボルト１３、１４がそれぞれ通され、出隅用座金１０から突出する埋込ボルト１３、１４のネジ部に、出隅用座金１０のボルト孔１５、１６より大きな口径を有するナット８が螺着されることにより、埋込ボルト１３、１４間が、出隅用座金１０によって連結される。【選択図】図２
2007270421.tif 000002
【特許請求の範囲】
【請求項１】
建物が載置される基礎のうち、少なくとも略直交する二辺を有する交差部の上面部には、ネジ部を上に向けた一対の埋込ボルトが、該二辺方向に離間されて上方に向けて突出されて、各々固定されていて、前記建物の一部を構成する土台部材に前記埋込ボルトを挿通する通し穴を設けて、該上面部に、載置されると共に、該土台部材の上面部に、前記交差部の二辺に跨って、前記二辺の埋込ボルト間を連結する大きさを有すると共に、前記埋込ボルトを挿通するボルト孔を、一対形成した一体型の出隅用座金が装着されると共に、該出隅用座金の通し穴に、前記埋込ボルトのネジ部を各々挿通して、前記出隅用座金から突出する埋込ボルトの各ネジ部に、各々ナット部材を螺着させることにより、前記出隅用座金を介在させて、前記土台部材が前記基礎に、固定されていることを特徴とする住宅の土台構造。
【請求項２】
建物が載置される基礎のうち、少なくとも略直交する二辺を有して、各々、埋込ボルトが上方に向けて突出されている出隅部に用いられる出隅用座金であって、
前記略直交する二辺同士を跨ぎ、且つ、一方の埋込ボルトから前記妻側縦壁部の埋込ボルトまでに至る大きさを有し、これらの埋込ボルトの通し穴を有することを特徴とする請求項１記載の住宅の土台構造に用いる出隅用座金。
【発明の詳細な説明】
【技術分野】
【０００１】
本発明は、住宅の土台構造及びその住宅の建築に用いる出隅用座金に関し、特に、建物ユニットを複数組み合わせて構成されるユニット建物に用いて好適な住宅の土台構造及びその住宅の建築に用いる出隅用座金に関する。
【背景技術】
【０００２】
従来、戸建て住宅の基礎としてフーチングと称されるコンクリート製の基礎が用いられている例がある（例えば、特許文献１等参照）。図４は、このようなコンクリート製の基礎とその上に固定される土台の取付構造を示している。
【０００３】
コンクリート製の基礎１の上端面には土台２が、載置されている。この土台２は、基礎１の上端面に、固定される。
【０００４】
図５中に記される黒丸は基礎１の上において、土台２の固定点Ｂを示す。基礎１の上端面には埋込ボルト３が突設されており、土台２には埋込ボルト３を通す通し穴４が形成されている。
【０００５】
土台２を基礎１に固定する際には、土台２の通し穴４に埋込ボルト３を通した後に、図６に示す座金５の穴６に埋込ボルト３が挿通される。
【０００６】
そして、座金５の四隅に、複数形成される回転及び水平ズレ防止突起部７…が、土台２の上面側に、圧接されながら、埋込ボルト３の先端部にナット８が螺着されて締め付けられ、この座金５が、土台２の上端面に固定されることで、基礎１に建物の下部の土台２を固定するように構成されている。
【特許文献１】特公昭５８−３０９７８号公報
【発明の開示】
【発明が解決しようとする課題】
【０００７】
しかしながら、このような従来の土台の取付構造及び座金によって、住宅の出隅部Ｃ（図４参照）の土台２を基礎１に固定すると、基礎１の出隅部Ｃの部分において、基礎１の高さの不揃いがあったり、ネジの締め付け力やナット８の締め付け力の違いから、出隅部Ｃの土台２の端部同士に段差が生じて、建物ユニットの脚部に浮きが生じる虞があった。
【０００８】
また、前記建物ユニットの出隅部Ｃでは、住宅が受ける風荷重や、地震により基礎１若しくは建物ユニットが変形する等、引き抜き方向に荷重が作用することで、この建物ユニットの脚部が、浮きが生じる虞があった。
【０００９】
そこで、この発明は、建物の出隅部に生じる浮き上がりを抑制することができる住宅の土台構造及びその住宅の建築に用いる出隅用座金を提供することを課題としている。
【課題を解決するための手段】
【００１０】
上記課題を解決するために、この発明の請求項１記載の住宅の土台構造は、建物が載置される基礎のうち、少なくとも略直交する二辺を有する交差部の上面部には、ネジ部を上に向けた一対の埋込ボルトが、該二辺方向に離間されて上方に向けて突出されて、各々固定されていて、前記建物の一部を構成する土台部材に前記埋込ボルトを挿通する通し穴を設けて、該上面部に、載置されると共に、該土台部材の上面部に、前記交差部の二辺に跨って、前記二辺の埋込ボルト間を連結する大きさを有すると共に、前記埋込ボルトを挿通するボルト孔を、一対形成した一体型の出隅用座金が装着されると共に、該出隅用座金の通し穴に、前記埋込ボルトのネジ部を各々挿通して、前記出隅用座金から突出する埋込ボルトの各ネジ部に、各々ナット部材を螺着させることにより、前記出隅用座金を介在させて、前記土台部材が前記基礎に、固定されていることを特徴としている。
【００１１】
また、この発明の請求項２記載の出隅用座金は、建物が載置される基礎のうち、少なくとも略直交する二辺を有して、各々埋込ボルトが上方に向けて突出されている交差部に用いられる出隅用座金であって、前記略直交する二辺同士を跨ぎ、且つ、一方の埋込ボルトから前記妻側縦壁部の埋込ボルトまでに至る大きさを有し、これらの埋込ボルトの通し穴を有することを特徴としている。
【発明の効果】
【００１２】
このように構成された請求項１記載の本発明の住宅の土台構造によれば、前記基礎の交差部の上面に載置された前記土台部材の上面部に、前記埋込ボルトのボルト孔を形成した一体型の出隅用座金が装着されて、前記交差部に跨って、少なくとも一対の埋込ボルト、例えば、前記桁側縦壁部の埋込ボルト及び、前記妻側縦壁部の埋込ボルトとの２つの埋め込みボルトによって、建物の出隅部が、前記基礎の交差部の二カ所に固定される。
【００１３】
このため、埋込ボルト間が、出隅用座金によって連結されて、一方の埋込ボルトに生じる引き抜き方向の荷重が、他方の埋め込みボルトに分散されて、浮き上がりが抑制される。
【００１４】
このように、交差部を構成する縦横の土台に段差が生じたり、建物ユニット等を用いた場合の出隅部の浮き上がりが、抑制されるので、これらの建物ユニットで構成されるユニット建物の据付精度を高めることができる。
【００１５】
また、請求項２に記載された出隅用座金によれば、一枚の出隅用座金によって、基礎の交差部の少なくとも二辺に跨り、建物の出隅部を固定できるので、部品点数を減少させることが出来る。
【発明を実施するための最良の形態】
【００１６】
以下、本発明を実施する最良の形態にかかる住宅の土台構造及び住宅の出隅用座金を実施例に基づいて説明する。なお、従来例と同一乃至均等な部分については、同一符号を付して説明する。
【実施例】
【００１７】
図１乃至図３は、この発明の最良の実施の形態の実施例を示すものである。先ず、住宅としての建物の全体の構成及び、出隅用座金に付いて説明し、次に、この出隅用座金を適用した住宅の土台構造を説明する。
【００１８】
なお、前記従来例と同一乃至均等な部分については、同一符号を付して説明する。
【００１９】
図１は、建物としてのユニット建物１００が、複数の建物ユニット１０１〜１０９及び屋根ユニット１１１〜１１６等を組み合わせてなる屋根部１１０とから主に構成されている様子を示すものである。
【００２０】
このユニット建物１００が、載置される基礎２１のうち、少なくとも略直交する二辺を有する交差部３２の上面部には、ネジ部を上に向けた一対の埋込ボルト１３，１４が、二辺を構成する桁側縦壁部１８及び妻側縦壁部１９方向に、各々離間されて上方に向けて突出されて固定されている。
【００２１】
また、各建物ユニット１０１〜１０９の四隅に位置する出隅部１０１ａ〜１０９ａには、出隅用座金１０，１０が各々装着される。
【００２２】
この住宅の出隅用座金１０は、例えば１ｍｍから５ｍｍ程度の肉厚を有する鋼板製の単板の板金からなり、建物の平面視で大略直角三角形状を有する。
【００２３】
なお、この板金は単板の板金を折り畳んで複数層としたり、複数枚の板金を積層したものであっても良い。この三角形状の出隅用座金部１０の直角部を除いた２つの鋭角部には、座金本体部１１、１２が形成されている。
【００２４】
これらの座金本体部１１、１２は大略矩形状を有している。座金本体部１１、１２には埋込ボルト１３、１４（図２参照）を挿通するボルト孔１５、１６が形成されている。
【００２５】
ボルト孔１５、１６の大きさはそれぞれ埋込ボルト１３、１４の太さより大きな口径を有し、更にボルト１３、１４に螺着されるナット８より小さな口径を有している。
【００２６】
なお、ボルト孔１５、１６に図示しないワッシャを敷き、ワッシャを介してナット８を螺着しても良い。出隅用座金１０の直角部３７頂点位置から、壁面に沿う方向で、座金本体部１１、１２のボルト孔１５、１６の中心位置までの距離は、桁用縦壁部１８と妻用縦壁部１９の直角部頂点位置から、基礎２１の延設されている方向で、それぞれの埋込ボルト１３、１４の中心までの距離と一致するように設定されている。
【００２７】
このため、一方の埋込ボルト１３及び１４を、ボルト孔１５、１６に各々挿通させることにより、出隅用座金１０の直角部３７の頂点が、桁用縦壁部１８と妻用縦壁部１９の直角部の頂点と略一致して、後述する上層土台部材２４，２５の出隅部近傍の上面側に一定の面積を有して、当接されて、覆うように構成されている。
【００２８】
また、座金本体部１１、１２の矩形部の四隅には、回転及び水平ズレ防止突起部２０…が、複数形成されている。
【００２９】
図２は、上記の出隅用座金１０を用いた住宅の土台構造を示す。図２において符合２１は、コンクリート製の基礎、１８は基礎２１の桁側縦壁部、１９は基礎２１の妻側縦壁部、２２は桁側縦壁部１８に直に支持される下層土台部材、２３は妻側縦壁部１９に直に支持される下層土台部材、２４は下層土台部材２２に支持される上層土台部材、２５は下層土台部材２２に支持される上層土台部材、２６、２７は建物の根太、２８は床板、２９は壁パネル、３０、３１は外装材、３２は基礎２１の交差部である。
【００３０】
このうち、前記交差部３２は、主に、略直交する二辺としての桁側縦壁部１８と妻側縦壁部１９とで構成される。桁側縦壁部１８には、埋込ボルト１３がネジ部を鉛直上方に向けて突設され、妻側縦壁部１９には埋込ボルト１４がネジ部を鉛直上方に向けて突設されている。
【００３１】
また、各建物ユニット１０１〜１０９の下面側に接続される下層土台部材２２と上層土台部材２４、下層土台部材２３及び上層土台部材２５には、それぞれ埋込ボルト１３、１４を通すボルトの通し穴２２ａ〜２５ａが、各々開口形成されている。
【００３２】
埋込ボルト１３のネジ部は、下層土台部材２２と上層土台部材２４のボルトの通し穴２２ａ，２４ａ、埋込ボルト１４のネジ部は、下層土台部材２３及び上層土台部材２５のボルトの通し穴２３ａ，２５ａをそれぞれ貫通している。上層土台部材２４と上層土台部材２５の上には、出隅用座金１０が装着される。
【００３３】
この出隅用座金１０の座金本体部１１、１２のボルト孔１５、１６には、埋込ボルト１３、１４のネジ部が通される。埋込ボルト１３、１４のネジ部は座金本体部１１、１２の上に接触するナット８の厚さより少し大きな距離だけ座金本体部１１、１２から突出する。
【００３４】
また、出隅用座金１０の座金本体部１１、１２の四隅には、回転及び水平ズレ防止突起部２０…が、各々略円筒形形状を呈して突設形成されている。この木ネジは上層土台部材２４と上層土台部材２５に当接されて、一部を食い込ませることにより、出隅用座金１０の回転及び水平ズレ防止が防止されるように構成されている。
【００３５】
建物の根太３３、３４の下面側には、出隅用座金１０の座金本体部１１、１２より平面的に一回り大きな投影面積を有する凹部３５、３６が形成されており、この凹部３５、３６の下側に出隅用座金１０の座金本体部１１、１２が固定される。出隅用座金１０の直角部３７は上層土台部材２４と上層土台部材２５に支持される。
【００３６】
上層土台部材２４と上層土台部材２５には、建物の桁側の根太３３、妻側の根太３４が装着され、根太３３、３４は図示しないボルトにより上層土台部材２４と上層土台部材２５上に固定される。根太３３、３４の上には床板２８が固定され、床板２８の上には壁パネル２９、３０が固定される。壁パネル２９、３０の外側には外装材３０、３１が取り付けられる。
【００３７】
以上説明したように、上記の住宅の土台構造は、桁側縦壁部１８と妻側縦壁部１９のそれぞれの上面部に、埋込ボルト１３、１４の通し穴（図示省略）を設けた土台部材２２〜２５が、それぞれ装着され、桁側縦壁部１８と妻側縦壁部１９の交差部３２を形成する土台部材２４、２５の上面部に、交差部３２に跨って桁側縦壁部１８の埋込ボルト１３から妻側縦壁部１９の埋込ボルト１４まで至る大きさを有すると共に、埋込ボルト１３、１４のボルト孔１５、１６が形成された一体型の出隅用座金１０が装着される。
【００３８】
そして、出隅用座金１０のボルト孔１５、１６に埋込ボルト１３、１４がそれぞれ通され、出隅用座金１０から突出する埋込ボルト１３、１４のネジ部に、出隅用座金１０のボルト孔１５、１６より大きな口径を有するナット８が螺着される。このナット８は出隅用座金１０に直接接触するか若しくはワッシャ若しくはワッシャ状金属部材を介して間接的に固定されても良い。
【００３９】
また、出隅用座金１０は、建物の基礎部分における桁側縦壁部１８と妻側縦壁部１９からなる交差部３２に用いられ、桁側縦壁部１８の上面と妻側縦壁部１９の上面に装着される直交する土台部材２４、２５同士を跨ぎ、且つ、桁側縦壁部１８の埋込ボルト１３から妻側縦壁部１９の埋込ボルト１４までに至る大きさを有し、これらの埋込ボルト１３と埋込ボルト１４とを挿通するボルト孔１５、１６を有しているので、固定された状態では、これらの埋込ボルト１３と埋込ボルト１４との間が、この出隅用座金１０によって連結される。
【００４０】
このため、この出隅用座金１０では、前記埋込ボルト１３及び埋込ボルト１４によって固定される座金本体部１１、１２の真下のみならず、これらの座金本体部１１、１２から、前記直角部３７の頂点に至るまで、広い面積で、上層土台部材２４，２５の上面部を押圧して、前記基礎２１の桁側縦壁部１８及び妻側縦壁部１９に、固定させることが出来る。
【００４１】
この実施例の住宅の土台構造によれば、土台部材２４、２５の両者に跨る一体型鋼板からなる出隅用座金１０を一対のナット８、１７で固定するので、桁側縦壁部１８と妻側縦壁部１９に土台部材２４、２５を固定した時に、高さの違いが解消され、土台部材２４、２５上の根太３３、３４同士の浮きが解消される。
【００４２】
その際に、交差部３２を形成する桁側縦壁部１８と妻側縦壁部１９に埋込ボルト１３、１４が突出しており、桁側縦壁部１８と妻側縦壁部１９に土台部材２４、２５を固定し、土台部材２４、２５に出隅用座金１０を装着し、ボルト孔１５、１６に埋込ボルト１３、１４を通して、ナット８を埋込ボルト１３、１４に締め込む。ナット８が埋込ボルト１３、１４のネジ部にねじ込まれると、上層土台部材２４、２５間に高さの違いあったとしても、出隅用座金１０と、桁側縦壁部１８及び妻側縦壁部１９が、下層土台部材２２と上層土台部材２４、及び、下層土台部材２３と上層土台部材２５を挟持して上下方向から圧接するので、両者の高さの違いが解消される。
【００４３】
このように、前記基礎２１の交差部３２の上面に載置された前記各土台部材２２〜２５の上面部に、前記埋込ボルト１３,１４のボルト孔１５が形成され一体型の出隅用座金１０が、装着されて、前記交差部３２に跨って、一対の前記桁側縦壁部１８の埋込ボルト１３及び、前記妻側縦壁部１９の埋込ボルト１４とによって、ユニット建物１００の出隅部１０１ａ…が、前記基礎２１の各交差部３２で二カ所づつ固定される。
【００４４】
このため、一方の埋込ボルト１３に生じる引き抜き方向の荷重が、他方の埋め込みボルト１４に分散されて、浮き上がりが抑制される。
【００４５】
このように、出隅部３２…を構成する縦横の土台の段差が抑制されると共に、複数の建物ユニット１０１…を用いた場合では、各出隅部３２…の浮き上がりが、抑制されるので、これらの建物ユニット１０１〜１０９で構成されるユニット建物１００の据付精度を高めることができる。
【００４６】
また、各出隅部３２に対して、一枚の出隅用座金１０によって、基礎２１の交差部３２の少なくとも二辺に跨り、ユニット建物１００の出隅部１０１ａ…を固定できるので、埋込ボルト１３,１４の半分の数量の出済用座金１０１ａで済み、部品点数を減少させることが出来る。
【００４７】
以上、図面を参照して、本発明の実施の形態を実施例に基づいて詳述してきたが、具体的な構成は、この実施例に限らず、本発明の要旨を逸脱しない程度の設計的変更は、本発明に含まれる。
【００４８】
即ち、前記実施例では、前記出隅用座金１０の座金本体部１１、１２の四隅には、回転及び水平ズレ防止突起部２０…が、各々略円筒形形状を呈して突設形成されているが、前記ボルト孔１５,１６の周囲に、小穴が貫通された状態で、貫通周縁に突起部が形成されたり、或いは、貫通する孔を設けずに、上方から押圧されることにより、下面側から一部を隆起させた形状の回転及び水平ズレ防止突起部２０等であってもよく、形状、数量、及び材質や製造工程が特に限定されるものではない。
【００４９】
更に、この実施例では、基礎の少なくとも二辺として、桁側縦壁部１８と妻側縦壁部１９とで構成される交差部３２を例示して説明してきたが、特にこれに限らず、図３中に示されるような三辺或いは四方から、桁側縦壁部１８と妻側縦壁部１９とが交差する箇所や、この交差部３２が、他の基礎の一般部の壁厚よりも厚くなるように、上面視略方形形状のコンクリートブロック状に構成されている箇所であっても、建物或いは、建物ユニット１０１〜１０９の出隅部１０１ａ等が、上面に土台部材２２〜２５を介して載置されるものであれば、どのような交差部に適用されてもよい。
【図面の簡単な説明】
【００５０】
【図１】本発明の最良の実施の形態の実施例の出隅用座金の斜視図である。
【図２】本発明の実施の形態の実施例の図１の出隅用座金を用いた住宅の土台構造を示す部分斜視図である。
【図３】本発明の実施の形態の実施例の住宅としてのユニット建物の分解斜視図である。
【図４】従来の基礎の上に土台を載せて固定する方式を示す斜視図である。
【図５】建物ユニットにおける土台のボルト締結場所を示す説明図である。
【図６】従来の座金の斜視図である。
【符号の説明】
【００５１】
１０  出隅用座金
１１、１２  座金本体部
１３、１４  埋込ボルト
１５、１６  ボルト孔
１７  ナット
１８  桁側縦壁部
１９  妻側縦壁部
２２、２３  下層土台部材（土台部材）
２４、２５  上層土台部材（土台部材）
２２ａ〜２５ａ  通し穴
２９  壁パネル
３２  交差部
３３  桁側の根太
３４  妻側の根太
【図１】
2007270421.tif 000003
【図２】
2007270421.tif 000004
【図３】
2007270421.tif 000005
【図４】
2007270421.tif 000006
【図５】
2007270421.tif 000007
【図６】
2007270421.tif 000008